(57)【特許請求の範囲】
【請求項１】
霧化した液体を放出するミスト発生機と、前記ミスト発生機が着脱可能に装着される台座と、前記台座に設けられ液体を貯留する液体貯留手段を備え、
前記ミスト発生機は、
前記台座を介して前記液体貯留手段に貯留された前記液体を供給される給液口と、
供給された前記液体を貯留する貯液タンクと、
前記給液口と前記貯液タンクを接続する給液管と、
前記給液管に開閉可能に設けられ、当該給液管を塞ぐ弁体と、
前記貯液タンクに貯留された前記液体を霧化する超音波振動子と、
霧化された前記液体が放出されるミスト放出口
を備え、
前記台座は、
前記ミスト発生機が装着された際に前記弁体を開く開放機構と、
前記弁体が開いた給液管を介して前記貯液タンクに前記液体貯留手段に貯留された前記液体を供給する液体供給手段
を備えること
を特徴とするミスト発生装置。
【請求項２】
前記ミスト発生機が、前記超音波振動子の電源として機能する電池をさらに備えることを特徴とする請求項１記載のミスト発生装置。
【請求項３】
前記弁体は、前記給液口側の閉方向に付勢された開閉弁であり、前記開放機構は、前記給液管内に挿入され前記弁体と接触して当該弁体を開く補液ノズルを有すること
を特徴とする請求項１または２に記載のミスト発生装置。
【請求項４】
前記液体貯留手段は、前記台座に着脱可能に装着または内蔵され、前記貯液タンクよりも大量の液体を貯留可能であること
を特徴とする請求項１乃至３のいずれか１項に記載のミスト発生装置。
【請求項５】
前記補液ノズルの基部は、前記液体供給手段を介して前記液体貯留手段に接続されること
を特徴とする請求項３に記載のミスト発生装置。
【請求項６】
前記液体供給手段がポンプであること
を特徴とする請求項１乃至５のいずれか１項に記載のミスト発生装置。
【請求項７】
前記液体貯留手段から前記ミスト発生機の前記貯液タンクへの液体の供給が、重力作用によって行われること
を特徴とする請求項１乃至５のいずれか１項に記載のミスト発生装置。
【請求項８】
前記ミスト発生機が、時間を計測するタイマー部をさらに備え、
前記台座が、前記タイマー部を制御するタイマー制御部をさらに備え、当該タイマー制御部は、前記台座に装着された前記ミスト発生機の前記超音波振動子の駆動を前記タイマー部の時間の計測に対応して制御すること
を特徴とする請求項１乃至７のいずれか１項に記載のミスト発生装置。
【請求項９】
前記台座及び前記ミスト発生機が、前記超音波振動子の駆動をＯＮ−ＯＦＦするスイッチをそれぞれ備えること
を特徴とする請求項１乃至８のいずれか１項に記載のミスト発生装置。
【請求項１０】
前記台座が、前記液体貯留手段から供給された前記液体を一時的に貯留する補助タンクと、前記補助タンク内の液体を加熱する加熱手段をさらに備え、
前記液体供給手段は、加熱された前記液体を前記貯液タンクに供給すること
を特徴とする請求項１乃至９のいずれか１項に記載のミスト発生装置。
【請求項１１】
前記ミスト発生機が、
前記台座から蒸気の供給を受ける蒸気受給口と、
前記蒸気受給口と管路によって接続され供給された前記蒸気が放出される蒸気放出口
をさらに備え、
前記台座が、
前記液体貯留手段から供給された前記液体を一時的に貯留する補助タンクと、
前記補助タンク内の液体を加熱して蒸気を発生させる加熱手段と、
前記台座に装着された状態の前記ミスト発生機の前記蒸気受給口と前記補助タンクを接続する蒸気供給管路
をさらに備えることを特徴とする請求項１乃至９のいずれか１項に記載のミスト発生装置。
【請求項１２】
前記台座が、
前記液体貯留手段から供給された前記液体を一時的に貯留する補助タンクと、
前記補助タンク内の液体を加熱して蒸気を発生させる加熱手段と、
前記蒸気が放出される蒸気放出口と
をさらに備えること
を特徴とする請求項１乃至９のいずれか１項に記載のミスト発生装置。
【請求項１３】
霧化した液体を放出するミスト発生器と、電力の供給を受ける受電端子と、前記受電端子から供給された電力に基づいて前記ミスト発生器を駆動する駆動手段とを備えた子機と、
前記子機を着脱可能に嵌合可能な凹部と、第２のミスト発生器を備えた起立部と、前記凹部に配置され、前記子機の装着時に前記子機の受電端子に係合可能な給電端子と、前記子機の装着時に前記ミスト発生器のＯＮ−ＯＦＦを制御し、前記子機の離脱時には前記第２のミスト発生器のＯＮ−ＯＦＦを制御する制御手段を備えた台座とからなる親機と
を有することを特徴とするミスト発生装置。
【請求項１４】
前記子機が、前記ミスト発生器の電源として機能する電池を内蔵すること
を特徴とする請求項１３に記載のミスト発生装置。
【発明の詳細な説明】
【技術分野】
【０００１】
本発明の実施形態は、水や美容液などの液体を微粒化したミストを肌面に長時間にわたって供給して美容処理を行うことが可能な携帯型のミスト発生装置に関する。
【背景技術】
【０００２】
携帯性に優れ、どこにでも持ち運ぶことができ、ユーザの顔などに液体のミストを噴霧して肌に潤いを与え、または肌の細胞組織の活性を高める美容処理を行う噴霧装置が知られている。
【先行技術文献】
【特許文献】
【０００３】
【特許文献１】実用新案登録第３１６１９９６号公報
【発明の概要】
【発明が解決しようとする課題】
【０００４】
上記装置は、日常生活の場での使用を目的にしたものであるが、このような美容処理を寝ている間に行いたいという要望がある。しかしながら携帯性に優れた小型の噴霧装置では、噴霧装置に内蔵される貯液タンクの容量が、せいぜい数ミリリットル乃至数１０ミリリットル程度と小さいため、短時間の美容処理しか行うことができないという問題がある。
また、貯液タンクの容量の大きい大型の噴霧装置を使用することも考えられるが、この場合持ち運びが煩雑であり美容処理を行いたいときすぐに行うことができないという問題がある。
【０００５】
本発明は、このような事情を考慮してなされたものであり、携帯性と就寝時のような長時間の美容処理とを両立させることが可能なミスト発生装置を提供することを目的とする。
【課題を解決するための手段】
【０００６】
実施形態のミスト発生装置は、正面にミスト放出口を備えた外部ケースと、給液管を介して前記外部ケース外に開口する給液口と接続されるとともに、貯留する液体の導出部を備えた貯液タンクと、前記貯液タンクの導出部から導出される液体を霧化して前記ミスト放出口から放出させる超音波振動子と、前記外部ケース外に電源端子を露出させた前記超音波振動子に駆動電源を供給する二次電池と、前記外部ケース外に操作部を露出させた前記超音波振動子の駆動をＯＮ−ＯＦＦ制御するスイッチと、を備えた携帯可能なミスト発生装置本体と、前記ミスト発生装置本体の下部を着脱自在に受け入れる本体受入れ部を有し、前記本体受入れ部に、前記ミスト発生装置本体を受け入れたとき前記電源端子と接触する位置に充電端子を有するとともに、前記本体受入れ部外に前記充電端子に配線を介して接続された電源端子を備えた台座と、前記貯液タンクの給液口に直接又は他の管路を介して連結されて前記液体を供給可能な給液ノズルを備えた液体補給手段と、からなることを特徴とする。
【０００７】
前記貯液タンクの給液管は常時は閉状態の弁体を有し、前記台座は、前記ミスト発生装置本体を台座に装着した際、前記弁体を開放させる機構を備えることができる。
また、前記ミスト発生装置の給液管の弁体は、入口側の閉方向に付勢された開閉弁であり、前記台座には、前記ミスト発生装置本体を受入れ部に装着することにより、前記給液管内に挿入されて前記弁体を開放する補液ノズルが突設された構成とすることができる。
【０００８】
前記液体補給手段は補液タンクを備え、前記補液タンクは、前記台座に内蔵され、前記ミスト発生装置本体の貯液タンクよりも大量の液体を貯液可能な構成とすることができる。
またさらに、前記ミスト発生装置の給液管の弁体は、入口側の閉方向に付勢された開閉弁であり、前記台座には、前記ミスト発生装置本体を受入れ部に装着することにより、前記給液管内に挿入されて前記弁体を開放する補液ノズルが突設され、前記補液ノズルの基部は、前記補液タンクに接続された構成とすることができる。
【０００９】
前記台座の液体補給手段から前記ミスト発生装置本体の前記貯液タンクへの液体の供給は、ポンプで行ってもよく、重力作用によって行うようにしてもよい。
さらに、前記液体補給手段の貯液タンクは、取換え可能な構成としてもよい。
また、長時間の連続運転を可能とするため、前記ミスト発生装置本体が、前記超音波振動子の駆動を制御するタイマー部を備え、  前記台座は、前記タイマー部を制御するタイマー制御部を備え、前記ミスト発生装置本体を前記台座の受入れ部に装着した状態で、前記台座の前記タイマー制御部の制御によって、前記超音波振動子の駆動が制御されるように構成することもできる。
なお、ミスト発生装置本体のスイッチとは独立に、台座の方にもに超音波振動子の駆動をＯＮ−ＯＦＦ制御するスイッチを設けることもできる。
【発明の効果】
【００１０】
本発明によれば、装置本体が着脱可能に装着される台座と液体補給手段を備えることで、携帯性と長時間の美容処理とを両立させることが可能なミスト発生装置を提供できる。
【図面の簡単な説明】
【００１１】
【図１】本発明の第１実施形態にかかるミスト発生装置１０を示す構成図。
【図２】図１のミスト発生装置１０を側面側から見た一部断面図。
【図３】本発明の第２実施形態にかかるミスト発生装置２０の概略図。
【図４】本発明の第２実施形態にかかるミスト発生装置本体２００aの一部断面図。
【図５Ａ】本発明の第２実施形態にかかる補液タンク３００aの一部断面図。
【図５Ｂ】図５Ａの補液タンク３００aの一部を拡大して示す一部断面図。
【図６】本発明の変形例を示す概略図。
【図７】本発明の変形例を示す概略図。
【図８Ａ】本発明の変形例を示す概略図。
【図８Ｂ】本発明の変形例を示す概略図。
【図９】本発明の第３実施形態にかかるミスト発生装置３０を側面側から見た一部断面図。
【図１０】本発明の第４実施形態にかかるミスト発生装置４０を側面側から見た一部断面図。
【図１１】ミスト発生装置４０の変形例であるミスト発生装置５０を側面側から見た一部断面図。
【図１２】本発明の更なる変形例であるミスト発生装置６０を示す斜視図。
【発明を実施するための形態】
【００１２】
以下、実施の形態を図面に基づき説明する。
［第１実施形態］
この実施形態に係るミスト発生装置１０は、肌の保湿処理を主な目的とした美容処理装置であり、日常、ミスト発生装置本体１００だけを携帯用として随時使用される他、たとえば寝室などに設置され、長時間にわたり人の肌を保湿するための美容液のミストを使用者の顔などに噴射するために使用される。
【００１３】
本実施形態のミスト発生装置１０は、図１及び図２に示すように、ミスト発生装置本体１００、台座２００及び補液タンク３００から主として構成される。
（ミスト発生装置本体１００について）
ミスト発生装置本体１００は、台座２００に着脱可能に取り付けられ、美容液や水を霧状にして噴射する装置である。なお、以下の説明では主に美容液を用いた保湿処理について説明するが水を用いた場合の保湿処理も同様である。
このミスト発生装置本体１００は、必要に応じて台座２００から取り外され携帯用のミスト発生装置１０として用いられる。
ミスト発生装置本体１００は、主に、外部ケース１０１、貯液タンク１０３、美容液導出部１０５、超音波振動子１０７、制御用電子回路基板１０９、電源１１１、スイッチ１１３などから構成されている。
外部ケース１０１は、貯液タンク１０３、超音波振動子１０７、制御用電子回路基板１０９、電源１１１、スイッチ１１３の一部を内蔵する。外部ケース１０１の正面には霧状の美容液を噴出するミスト放出口１１５が設けられ、下部には外部ケース１０１外から貯液タンク１０３に美容液を供給するための給液口１１７が設けられている。
貯液タンク１０３は、美容液を一時的に貯える貯液タンク本体１０３ａと、貯液タンク本体１０３ａから下方に延び、美容液を貯液タンク本体１０３ａに供給するための給液管１０３ｂから主に構成される。また、貯液タンク本体１０３ａ下方には美容液導出部１０５が設けられている。
貯液タンク本体１０３ａは、美容液が下方の美容液導出部１０５に向けて重力作用を及ぼすように外部ケース１０１の上端に設置されている。
【００１４】
給液管１０３ｂの下端には、図示を省略したコイルばねなどにより、常時は閉状態となる弁体１１９が設けられており、この弁体１１９は、ミスト発生装置本体１００を台座２００に装着することにより、後述する台座２００に配設された弁押し上げ管２１３aで押し上げられて開状態とされる。なお、給液管１０３ｂの貯液タンク本体１０３ａ側の端部は、美容液導出部１０５よりも高い位置になるよう取り付けられており、これによって、美容液導出部１０５の美容液に常に重力作用が加えられるようになっている。
美容液導出部１０５は、超音波振動子１０７に対向配置される美容液放出口１０５aと、超音波振動子１０７を保持する保持部１０５ｂを備え、保持部１０５ｂによって保持された超音波振動子１０７を介してミスト放出口１１５と接続される位置に設けられる。美容液導出部１０５は、この実施の形態では貯液タンク本体１０３ａの底面付近にミスト放出口１１５と対向するように配置されている。
美容液導出部１０５がこのように配置されることで、貯液タンク本体１０３ａに蓄えられた美容液は、それ自身の重力作用によって美容液導出部１０５を通り超音波振動子１０７と接触し超音波振動子１０７により霧化され、ミスト放出口１１５から噴出される。
【００１５】
超音波振動子１０７は、貯液タンク１０３から導出される美容液を霧化する。超音波振動子１０７はウェーハ状に形成され、小径の孔が多数設けられている。超音波振動子１０７はマイクロチップと圧電セラミックス（ＰＺＴ）を接合して形成される。この圧電セラミックスが外部ケース１０１中にある制御用電子回路基板１０９によって通電を制御されることにより、通電された圧電セラミックスに圧電効果が発生し、機械的な変位を生じてマイクロチップを前後に振動させる。
例えば、マイクロチップが１３０ＫＨｚの超音波周波数で前後で振動するように制御されると、このマイクロチップの微孔口の両側に気圧差を生じて美容液が微小な水滴に霧化される。さらに、圧電作用により、超音波振動子１０７は同時にマイナスイオンを発生させ、栄養成分と結合して肌の深層へと浸透し、皮膚細胞の水分及び栄養エキスの吸収を促す。なお、超音波振動子１０７を貯液タンク本体１０３ａ内部に配置して、図示はしないマイクロファンで生成したミストを吹き出すようにしてもよい。
【００１６】
制御用電子回路基板１０９の電子回路は、図示を省略した導線によって超音波振動子１０７、電源１１１、スイッチ１１３などと電気的に接続されており、超音波振動子１０７への通電、スイッチ１１３の押下操作の検知、電源１１１の充電などの制御回路や検知回路を構成する。
この制御回路には、ミスト発生装置本体１００の動作モード（例えば、連続動作や間欠動作などの長・短の噴霧時間に対応する動作）を示す情報が複数登録されている記憶装置（メモリ）も搭載される。
また、制御用電子回路基板１０９にはタイマー１０９aが配設され、このタイマー１０９aの計時によって超音波振動子１０７の駆動時間を制御（例えば、数秒〜数時間置きの間欠的動作の制御や連続駆動の制御）することができる。
さらに、制御用電子回路基板１０９の制御回路の一部は外部ケース１０１から露出する電源及び信号端子１２１と電気的に接続されている。これらの電源及び信号端子１２１を介して、台座２００から電力の供給や超音波振動子１０７のＯＮ-ＯＦＦの信号を受けてこれらの制御を行うことができる。
【００１７】
電源１１１は、二次電池（例えば、リチウムイオン電池やキャパシタなど）から構成され、制御用電子回路基板１０９の電子回路からの制御信号により電源及び信号端子１２１を介して台座２００から電力の供給を受けて充電される。電源１１１に蓄えられた電力は、制御用電子回路基板１０９の制御回路の制御による超音波振動子１０７の駆動に使用される。
スイッチ１１３は一部分が外部ケース１０１表面に露出している。スイッチ１１３は、使用者が超音波振動子１０７の駆動のＯＮ−ＯＦＦを制御するためのものである。使用者のスイッチ１１３の操作によって制御用電子回路基板１０９の制御回路が超音波振動子１０７を駆動させる。また、使用者がスイッチ１１３を操作することで、ミスト発生装置本体１００の動作モードを任意に設定することもできる。
以上が、ミスト発生装置本体１００の説明であるが、ミスト発生装置本体１００が複数の貯液タンク１０３を備えるようにしてもよい。この場合、複数の貯液タンク１０３には水または美容液を入れることができる。すなわち、ミスト発生装置本体１００が霧状の水及び美容液を交互に放出したり、最初は霧状の水を放射し、水をすべて消費した後に霧状の美容液を放出するようにしてもよい。この場合には、貯液タンク１０３内に、制御用電子回路基板１０９の制御によって開閉可能な弁を設け、超音波振動子１０７に対する水または美容液の供給のＯＮ-ＯＦＦを制御可能とすることが望ましい。
【００１８】
（台座２００について）
台座２００は、ミスト発生装置本体接続部２０１、電源端子２０５、補液タンク接続部２０７、センサ部２０９、第２のスイッチ２１１、ポンプユニット２１３、台座制御基板２１５を備える。
ミスト発生装置本体接続部２０１は本体受入れ部として機能し、ミスト発生装置本体１００が着脱自在に接続される。ミスト発生装置本体接続部２０１には、台座制御基板２１５と接続される給電端子部２０３が設けられる。
給電端子部２０３は、充電端子として機能するピン状の電力供給用電極２０３aおよび信号用の電極２０３bから主に構成され、ミスト発生装置本体１００を装着したとき、ミスト発生装置本体１００の電源及び信号端子１２１と接触する位置に配置されている。
電源端子２０５は、例えば商用の電源や、パソコンのＵＳＢ（Universal Serial Bus）端子から電源コード２１４を介して電力を供給されるためのものである。なお、電源端子２０５と台座制御基板２１５は図示を省略した導線によって接続されており、電源端子２０５から入力された電力は、台座制御基板２１５に出力される。
【００１９】
補液タンク接続部２０７には、補液タンク３００が着脱自在に接続される。補液タンク接続部２０７への着脱はセンサ部２０９により検出され、この検出結果を示す信号は台座制御基板２１５に出力される。
第２のスイッチ２１１は、ミスト発生装置本体１００のスイッチ１１３に対応するスイッチであり、ミスト発生装置本体１００のスイッチ１１３とは独立に超音波振動子１０７のＯＮ−ＯＦＦ制御が可能とされている。
ポンプユニット２１３は台座制御基板２１５によって駆動され、補液タンク３００内の美容液をミスト発生装置本体１００へ供給する。ポンプユニット２１３は、弁押し上げ管２１３aを備える。
弁押し上げ管２１３aは、補液ノズルとして機能し、ミスト発生装置本体１００の給液口１１７及び給液管１０３ｂ内側に嵌合して給液管１０３ｂ内側にある弁体１１９を押し上げる。このことにより、弁体１１９が開状態となる。弁押し上げ管２１３aに、ポンプユニット２１３によって補液タンク３００から移動された美容液が流れることにり、ミスト発生装置本体１００の貯液タンク１０３に補液タンク３００の美容液が供給される。
【００２０】
台座制御基板２１５の電子回路は、タイマー制御部の機能を備え、信号用の電極２０３bを介してミスト発生装置本体１００の制御用電子回路基板１０９の電子回路と、ミスト発生装置本体１００の動作モードを示す情報や補液タンク３００などの着脱を示す情報を共有する。
台座制御基板２１５の電子回路は、ミスト発生装置本体１００の制御用電子回路基板１０９の電子回路と協働して以下の（１）〜（８）の制御を行える。  なお、以下の制御はセンサ部２０９からの信号や、ここでは特に図示はしないそのほかの種々のセンサからの信号の入出力に基づいて行われる。
【００２１】
（１）補液タンク３００の着脱の有無を検知する。
（２）ミスト発生装置本体１００の装着を電源及び信号端子１２１を介して検出し、電源１１１に対して電力を供給する。
（３）ポンプユニット２１３を制御して、ミスト発生装置本体１００に美容液を供給する。このとき例えば、ミスト発生装置本体１００の貯液タンク１０３内の美容液の量に対応して美容液の供給量を調整するようにしてもよい。
（４）使用者による第２のスイッチ２１１の操作の検出に応じて、制御信号をミスト発生装置本体１００に送信する。この制御信号は、例えば超音波振動子１０７の駆動のＯＮ−ＯＦＦを指示するものである。
また例えば、この制御信号は就寝時の保湿処理用の動作モード（長時間の噴霧動作や５分〜２０分といった短時間の噴霧動作）をミスト発生装置本体１００に指示するものである。この際に台座制御基板２１５はの電子回路は、ミスト発生装置本体１００の制御用電子回路基板１０９にタイマー１０９aによる計時を実行させる。
【００２２】
（５）複数の補液タンク３００の薬液を自動で切り替える。図示は省略したが、台座２００には複数の補液タンク３００を接続または内蔵させることができる。この場合、それぞれの補液タンク３００毎に異なる種類の美容液を入れることもでき、台座制御基板２１５は、これら複数の補液タンク３００からの美容液の吸い出し順序を適宜切り替えてミスト発生装置本体１００に供給することができる。
例えば、複数の補液タンク３００に同一の美容液または異なる種類の美容液が入れられた場合には、一つの補液タンク３００が空になってから次の補液タンク３００内の美容液をミスト発生装置本体１００に供給するように制御することができる。また、同様に複数の補液タンク３００に同一の美容液または異なる種類の美容液が入れられた場合であっても、一つの補液タンク３００が空になる前に他の補液タンク３００から美容液をミスト発生装置本体１００に供給するように制御することもできる。
なお、ここでは、補液タンク３００に美容液を入れられていることを説明したが、補液タンク３００には、水を入れることもでき、複数の補液タンク３００に水または美容液をそれぞれ入れることができる。この場合、台座制御基板２１５の電子回路は水と美容液を交互に切り替えながらミスト発生装置本体１００へ供給することもできる。
（６）ミスト発生装置本体１００に複数の貯液タンク１０３が搭載された場合、貯液タンク１０３からミスト放出口１１５への美容液の供給の順番をミスト発生装置本体１００に対して指示する。例えば、ミスト発生装置本体１００に２つ貯液タンク１０３が搭載された場合である。この場合、それぞれの貯液タンク１０３に水または美容液を入れることができる。
そして、台座制御基板２１５の電子回路は、水または美容液のミスト放出口１１５への美容液の供給の順番を例えば、１）水を優先的に供給し、水がなくなったら美容液を供給する、２）美容液を優先的に供給し、美容液がなくなったら水を供給する、３）水と美容液を均等に供給する、などの制御をミスト発生装置本体１００に対して行う。
（７）美容液の腐敗を防止する機構（例えば、弁や蓋）を制御する。例えば、貯液タンク１０３や補液タンク３００内に電源１１１またはミスト発生装置１０の外部からの電力供給を受けて開閉される弁体を設ける場合がある。この場合、この機構の開放時間や開放機会が少なくなるような制御を行うことができる。このことにより補液タンク３００や貯液タンク１０３内の美容液の腐敗（酸化や異物混入）を防止することができる。
（８）使用者の体を感知する。例えば、就寝時に寝返りなどによって、使用者の顔とミスト発生装置１０の設置位置が大きくずれた場合、このことを検知しかつ自動的に美容液の噴霧を自動的に停止することもできる。
【００２３】
（補液タンク３００について）
補液タンク３００は  液体補給手段として機能し、ミスト発生装置本体１００に供給される美容液または水を大量に保持することが可能な箱体である。すなわち、補液タンク３００はミスト発生装置本体１００の貯液タンク１０３よりも大きく形成されることが望ましい。
補液タンク３００は、美容液を保持する本体部３０１と、給水ノズル３０２とを備える。給水ノズル３０２は、美容液を安定してミスト発生装置本体１００に供給するためのガイドとして機能する。なお、この実施の形態では台座２００を介してミスト発生装置本体１００に美容液を供給しており、補液タンク３００はこの給水ノズル３０２によって台座２００に安定して固定される。このとき、給水ノズル３０２は例えば、ねじ式やはめこみ式によって台座２００に固定される。
なお、給水ノズル３０２には、補液タンク３００への未装着時に美容液の漏れを防止するための機能（例えば、弁体や蓋）が設けられることが望ましい。
【００２４】
（ミスト発生装置１０の動作の説明）
以上説明したように構成される本発明のミスト発生装置１０の動作について説明する。以下の説明は、台座２００の第２のスイッチ２１１を用いて保湿処理を行う場合の説明である。
就寝時、使用者は、台座２００にミスト発生装置本体１００及び補液タンク３００を装着し、自身の顔の近く、または保湿処理を行いたい部位近くにミスト放出口１１５が向くようにミスト発生装置１０を設置する。
【００２５】
台座２００にミスト発生装置本体１００及び補液タンク３００が装着されるとセンサ部２０９などの各種センサや信号用の電極２０３bから台座制御基板２１５に各装置装着を示す信号が入力される。この結果、台座制御基板２１５の電子回路はこれらの装着の有無を検知する。このとき、弁体１１９が弁の押し上げ管２１３ａによって開状態となる。
次に使用者は、台座２００の第２のスイッチ２１１を操作して保湿処理の動作モードを選択する（例えば、動作時間の設定や、図示はしない「お任せモード」などのスイッチの押下操作）。このときの使用者による第２のスイッチ２１１の押下を示す信号は台座制御基板２１５に入力され、このことに基づいて台座制御基板２１５がミスト発生装置本体１００の動作モードを決定する。
【００２６】
台座制御基板２１５は決定されたミスト発生装置本体１００の動作モードに基づいてポンプユニット２１３の稼働や信号用の電極２０３bを介してタイマー１０９ａの計時指示などを行い、ミスト発生装置本体１００の動作を制御する。
【００２７】
以上のような制御が行われるミスト発生装置１０では、設定された動作モードに対応して、ミスト放出口１１５から霧化された美容液が放出され、使用者に対して保湿処理が行われる。このとき、ポンプユニット２１３の稼働によって補液タンク３００中の美容液が、ミスト発生装置本体１００の貯液タンク１０３に供給されるので長時間の保湿処理が可能である。
また、この実施形態のミスト発生装置１０では、ミスト発生装置本体１００を台座２００から取り外せば、ミスト発生装置本体１００をバックなどに入れて持ち運ぶことができる。したがって、ミスト発生装置１０によれば、携帯性と長時間の保湿処理とを両立させることが可能となる。
【００２８】
[第２実施形態]
次に図３〜５Ａ、５Ｂを用いて本発明の第２実施形態にかかるミスト発生装置２０について説明する。この第２実施形態では、第１実施形態のミスト発生装置１０におけるミスト発生装置本体１００の形状、補液タンク３００からの美容液または水の供給方法、台座の形状の変形例を説明する。
なお、以下の説明では、第１実施形態と同一部分については、同一符号を付して重複する説明は省略する。
【００２９】
第２実施形態にかかるミスト発生装置２０は、ミスト発生装置本体１００a、台座２００ａ、補液タンク３００ａから主として構成される。
（ミスト発生装置本体１００aについて）
図４に示すように、ミスト発生装置本体１００aは、外部ケース１０１ａ、貯液タンク１１０３を備える。貯液タンク１１０３は、美容液を一時的に貯える貯液タンク本体１１０３ａと、この貯液タンク本体１１０３ａの天井面に設けられた孔部１１０３ｂとこの孔部１１０３ｂの略中央部に設けられた弁押し上げ棒１１０３ｃを備える。
孔部１１０３ｂには小径の孔１１０４が多数設けられ、この孔１１０４から補液タンク３００ａ内の美容液が流入する。
弁押し上げ棒１１０３ｃは、後述する補液タンク３００ａが有する弁体４０１を押し上げる為のものである。
【００３０】
外部ケース１０１ａは、孔部１１０３ｂと対応する箇所に補液タンク接続部１０１ｂを備える。
補液タンク接続部１０１ｂは補液タンク３００ａが安定して接続されるための孔部１０１ｃと、使用者によるミスト発生装置本体１００aの携帯時に貯液タンク１１０３からの美容液の漏えいを防ぐための蓋１０１ｄからなる構成される。蓋１０１ｄは使用者によって開閉される。ここでは特別に図示はしないが、蓋１０１ｄが美容液の漏えいをより確実に防ぐためにゴムや樹脂製のパッキンを有することが望ましい。
【００３１】
（台座２００ａについて）
図３に示すように、台座２００ａは、台座本体２２０１、ミスト発生装置本体収容部２２０２から主に構成され、さらにこれらを前後に回動可能（図３の矢印参照）とする軸部２２０３を備える。
台座本体２２０１は、長手方向の断面がコ字状に形成される。台座本体２２０１は、それぞれが対向する面を備える一対の柱部２２０１ａを備える。この柱部２２０１ａ間には、ミスト発生装置本体収容部２２０２が軸部２２０３を回転軸として振り子のように回動可能となるように収容される。
ミスト発生装置本体収容部２２０２は、断面コ字状の壁部２２０２ａを備え、この壁部２２０２ａの３面がそれぞれ対向する内側の空間にミスト発生装置本体１００aを収容する。
壁部２２０２ａの基部となり、ミスト発生装置本体１００aの底面と対向するミスト発生装置本体収容部２２０２の一面部には給電端子部２０３が配置される。また、ミスト発生装置本体収容部２２０２の正面には第2のスイッチ２１１が配置される。
ミスト発生装置本体収容部２２０２の回動は、例えば手動によって行われる。また、ステッピングモータを用いて行ってもよい。例えば、ステッピングモータを軸部２２０３に設けミスト発生装置本体収容部２２０２を所定の角度に回動及び固定させることもできる。
【００３２】
（補液タンク３００ａについて）
補液タンク３００ａは図５Ａ及びＢに示すように、ミスト発生装置本体１００aの補液タンク接続部１０１ｂにねじ式やはめこみ式で挿入され、美容液にかかる重力作用によって、ミスト発生装置本体１００aに美容液を供給する。
補液タンク３００ａは、美容液を保持する本体部３０１と、給水ノズル３０２ａと、本体部３０１と給水ノズル３０２ａの接合面に設けられる弁部４００を備える。
弁部４００は、弁体４０１と、蓋部４０３と、押し上げ棒接触部４０５と、弁体４０１と押し上げ棒接触部４０５とを接続する柱部４０７と、バネ部４０９とを備える。
弁体４０１は、例えばゴムや樹脂などで形成され、美容液が補液タンク３００ａ外に漏れ出すのを防止するためのものである。
蓋部４０３は、バネ部４０９の基部を固定するためのものである。蓋部４０３の略中央部には、柱部４０７の一部が上下に摺動可能な孔４０３ａが形成され、さらにこの孔４０３ａの周辺には、美容液が通過する為の小径の孔部４０３ｂが形成される。
柱部４０７は一端が弁体４０１に接続され、他端は押し上げ棒接触部４０５に接続される。
【００３３】
バネ部４０９は柱部４０７表面にコイル状に巻かれて設けられる。バネ部４０９は基部が蓋部４０３に固定され、通常時は押し上げ棒接触部４０５を補液タンク３００ａの出口方向に向けて押し上げている。このことにより、柱部４０７を介して押し上げ棒接触部４０５と接続されている弁体４０１の底面が、本体部３０１の内面側を向く蓋部４０３の１面に押しつけられ、この結果、通常時は弁体４０１が孔部４０３ｂを塞ぐ形となる。このことにより、美容液の漏えいが防止される。
補液タンク３００ａをミスト発生装置本体１００aに取り付けた際には、ミスト発生装置本体１００aの弁押し上げ棒１１０３ｃが、押し上げ棒接触部４０５と接触しかつ本体部３０１内部方向へ押し上げる。この結果として、弁体４０１が本体部３０１内部に押し上げられ、弁体４０１と孔部４０３ｂの間に空間が生まれる。そして、自重によって美容液がミスト発生装置本体１００aに供給される。
【００３４】
以上のように構成されたミスト発生装置２０では、補液タンク３００ａ中の美容液が、ミスト発生装置本体１００aの貯液タンク１１０３に供給されるので長時間の保湿処理が可能である。
また、美容液の自重によって美容液がミスト発生装置本体１００aに供給されるので、ポンプなどを使って美容液を供給する場合に比べ、省電力となる。もちろんミスト発生装置本体１００aを台座２００ａから取り外せば、ミスト発生装置本体１００aをバックなどに入れて持ち運ぶことができる。
要するにミスト発生装置２０は携帯性と長時間の美容処理とを両立させることが可能であり、かつ保湿処理時には省電力で駆動させることができる。
【００３５】
[変形例１]
本発明のミスト発生装置１０はさらに種々の変形が可能である。例えば図６に示すようにカートリッジ式の貯液タンク５００を出し入れ可能な蓋部５０１を背面に備え、貯液タンク５００をいつでも取り外し、及び交換可能とするようなミスト発生装置本体１００ｃを備えるようにしてもよい。
さらに、図７に示すように、取り外した貯液タンク５００（図６参照）に対応する形状を備える補液タンク本体６０１を補液タンク６００が備え、ミスト発生装置本体１００ｄに装着するような構造とすることもできる。
また、図８Ａ、Ｂに示すように、台座７００ａと、この台座７００aに対して軸部７０１を軸として回転可能な補液タンク７００を備え、就寝中の保湿処理の際には、補液タンク７００が回転し、自重によって美容液がミスト発生装置本体１００に供給されるようにしてもよい。さらに、保湿処理を行わないときは、収容空間７０２に補液タンク７００を収容するような構成とすることでミスト発生装置１０をよりコンパクトにすることができ、外観が向上する。
【００３６】
なお、上記した実施形態では、美容液の自重またはポンプによって美容液の供給を行ったが、これらに加え、またはこれに換えて以下（１）〜（８）のような方法により美容液や水を供給・移動させるようにしてもよい。
（１）気化式
例えば、熱で美容液や水を蒸気にして、ミスト発生装置本体１００内で冷やして液体に戻す。
（２）超音波霧化式
例えば、台座２００及びまたは補液タンク３００が超音波を発振する基板を備え、台座２００及びまたは補液タンク３００において、美容液または水を霧化させ、この霧化した美容液または水をミスト発生装置本体１００に供給する。
（３）浸透式
例えば、浸透圧を利用して美容液または水を移動する機構を備える。
（４）遠心力式
例えば、美容液または水に浸されたローターを回転させて、回転の遠心力によって美容液または水を移動させる。
（５）回転ボールチェ−ン式
例えば、美容液または水に浸された環状のボールチェ−ンの移動により美容液または水を移動させる。
（６）ピストン式
補液タンク及びまたは貯液タンクをシリンダ形状に形成し、さらにピストンを備えることにより美容液または水を移動させる。
（７）チューブ式
チューブの外側から外力を与えて美容液または水を移動させる。
（８）回転式
美容液または水をの移動時と、霧化した美容液または水の放出時で補液タンク３００と、ミスト発生装置本体１００の高低差を逆転させる。
【００３７】
[第３実施形態]
次に図９を用いて本発明の第３実施形態にかかるミスト発生装置３０について説明する。なお、以下の説明では、第１実施形態と同一部分については、同一符号を付して重複する説明は省略する。
図９に示すように第３実施形態にかかるミスト発生装置３０は、ミスト発生装置本体１００、台座２００ｂ、補液タンク３００から主として構成される。
台座２００bは、ミスト発生装置本体接続部２０１、ポンプユニット２１３、電源端子２０５、補液タンク接続部２０７、センサ部２０９、第２のスイッチ２１１を備える。
さらに台座２００bは、台座制御基板２１５a、ヒーター部６１０そして台座貯液タンク６０２を備える。
【００３８】
台座制御基板２１５aには、台座制御基板２１５と同様の機能を備える電子回路が形成されている。さらに台座制御基板２１５aにはヒーター部６１０のON・ＯＦＦや発熱温度の制御を行う電子回路が形成されている。
ヒーター部６１０及び台座貯液タンク６０２は、補液タンク３００と、ポンプユニット２１３の間に配置される。ヒーター部６１０は、台座貯液タンク６０２を加熱するための加熱手段である。ヒーター部６１０は、例えば、PTC（Positive Temperature Coefficient）ヒーターであり、台座制御基板２１５aのＯＮ・ＯＦＦ制御によって種々の温度で発熱する。ヒーター部６１０が発熱することで、台座貯液タンク６０２内の水や美容液を温めたり沸騰させることができる。ヒーター部６１０は、一面を台座貯液タンク６０２の一面と密接するように設置されており、ここでは、ヒーター部６１０は、台座貯液タンク６０２の下側に配置される。
台座貯液タンク６０２は、補液タンク３００から補給される水または美容液を一時的に貯留する補助タンクである。台座貯液タンク６０２は、熱伝導率の高い金属で形成された中空の箱体である。台座２００ｂに固定された補液タンク３００の給水ノズル３０２の出口に対向する台座貯液タンク６０２の上面には、給液口６０２ａが設けられている。この給液口６０２aを介して、自然落下によって補液タンク３００内の水または美容液が台座貯液タンク６０２内に供給される。
【００３９】
（ミスト発生装置３０の動作の説明）
以上説明したように構成される本発明のミスト発生装置３０では、ミスト発生装置本体１００aからは、暖められた霧状の水または美容液が放出される。
すなわち、台座２００ｂにミスト発生装置本体１００及び補液タンク３００が装着されるとセンサ部２０９などの各種センサや信号用の電極２０３bから台座制御基板２１５aに各装置装着を示す信号が入力される。この結果、台座制御基板２１５aの電子回路はこれらの装着の有無を検知し、台座制御基板２１５aの電子回路は、ヒーター部６１０をＯＮとなるよう制御する。
そして、台座制御基板２１５は使用者により選択された動作モードに基づいてポンプユニット２１３の稼働や信号用の電極２０３bを介してタイマー１０９ａの計時指示などを行い、ミスト発生装置本体１００の動作を制御する。
【００４０】
以上のような制御が行われるミスト発生装置３０では、ヒーター部６１０で発生した熱は台座貯液タンク６０２を加温し、結果として台座貯液タンク６０２内の水または美容液が暖められる。そして、ヒーター部６１０の発熱により暖められた台座貯液タンク６０２内の水または美容液が、ポンプユニット２１３の稼働によってミスト発生装置本体１００の貯液タンク１０３に供給される。最終的には、ミスト放出口１１５からは、暖かい状態の水または美容液が放出される。
暖められた水または美容液が吹きつけられることにより使用者の肌は毛穴が開きやすくなり、保湿をより効果的に行うことができる。また、この実施形態のミスト発生装置３０においてもミスト発生装置本体１００を台座２００aから取り外せば、ミスト発生装置本体１００をバックなどに入れて持ち運ぶことができる。すなわち、ミスト発生装置３０によれば、携帯性と長時間かつより効果的な保湿処理とを両立させることが可能となる。
【００４１】
以上が図９に示すミスト発生装置３０についての説明であるが、ミスト発生装置３０は種々の変更及び変形が可能である。例えば、台座２００ｂではなく、ミスト発生装置本体１００がヒーター部６１０を備えるようにしてもよい。この場合には、ヒーター部６１０を貯液タンク１０３の一部に密接して設け、ポンプユニット２１３を介して供給された水または美容液を貯液タンク１０３内で加温することが望ましい。また、この場合、制御用電子回路基板１０９が、ヒーター部６１０の動作のＯＮ・ＯＦＦや温度の制御をおこなうことが望ましい。
ミスト発生装置本体１００がヒーター部６１０を備えることで、外出先などでも暖められた水または美容液で保湿処理を行える。
また、台座２００ｂ及びミスト発生装置本体１００がヒーター部６１０を備えるようにしてもよい。この場合には、ミスト発生装置本体１００が備えるヒーター部６１０を水または美容液の保温用として用いることができ、台座２００ｂで暖められた水または美容液の温度低下を防止することができる。
【００４２】
[第４実施形態]
次に図１０を用いて本発明の第４実施形態にかかるミスト発生装置４０について説明する。以下の説明では、第１、第３実施形態と同一部分については、同一符号を付して重複する説明は省略する。
図１０に示すように第４実施形態にかかるミスト発生装置４０は、ミスト発生装置本体１００b、台座２００c、補液タンク３００から主として構成される。
【００４３】
（ミスト発生装置本体１００bについて）
ミスト発生装置本体１００ｂは、台座２００ｃに着脱可能に取り付けられ、美容液や水を霧状にして噴射し、さらに蒸気状の水や美容液を放出する装置である。
ミスト発生装置本体１００ｂは、主に、外部ケース６１１、貯液タンク１０３、美容液導出部１０５、超音波振動子１０７、制御用電子回路基板１０９、電源１１１、スイッチ１１３などから構成されている。
外部ケース６１１は、外部ケース１００（図２参照）とほぼ同じ形状に形成されており、貯液タンク１０３、美容液導出部１０５、超音波振動子１０７、制御用電子回路基板１０９、電源１１１、スイッチ１１３などを内蔵する。なお、図１０では説明を分かりやすくするために、ミスト発生装置本体１００bが備える制御用電子回路基板１０９、タイマー１０９ａ、電源１１１の図示を省略している。
【００４４】
外部ケース６１１は、蒸気放出口６１２、開口部６１４、管路６１６を備える。
蒸気放出口６１２は、外部ケース６１１の正面（ミスト放出口１１５と同一の面）に設けられた孔であり、管路６１６を介して、外部ケース６１１の底面（台座２００ｃと対向する面）に設けられた開口部６１４と接続されている。蒸気放出口６１２からは、開口部６１４を介して台座２００ｃから供給された蒸気が放出される。
開口部６１４には、台座２００ｃの後述する接続管６２２が着脱自在に挿入される。
管路６１６は、台座２００ｃから供給された蒸気が、蒸気放出口６１２からスムーズに排出されるように形成されている。すなわち、管路６１４は、開口部６１４を基部として、外部ケース６１１の長手方向に沿う直線状の部位と、蒸気放出口６１２近傍に向かって所定の角度（ここでは略直角）を持ってカーブする部位と、このカーブする部位と蒸気放出口６１２を接続する部位を有している。
【００４５】
（台座２００ｃについて）
台座２００ｃは、ミスト発生装置本体接続部２０１、ポンプユニット２１３、電源端子２０５、補液タンク接続部２０７、センサ部２０９、第２のスイッチ２１１、台座制御基板２１５a、ヒーター部６１０を備える。
さらに台座２００ｃは、台座貯液タンク６１７、液体流路部６１８、接続管６２０及び接続管６２２を備える。
台座貯液タンク６１７は、ヒーター部６１０とともに蒸気発生手段として機能する補助タンクである。台座貯液タンク６１７は、台座貯液タンク６０２（図９参照）とほぼ同様の形状、機能を備え、補液タンク３００から補給される水または美容液を一時的に貯留する。台座貯液タンク６１７の上面には、開口６１７ａが形成されており、台座貯液タンク６１７の底面には開口６１７ｂが形成されている。開口６１７ａは、接続管６２２によってミスト発生装置本体１００ｂの開口部６１４を介して管路６１６の一端に接続される。
【００４６】
液体流路部６１８は、補液タンク３００内の水または美容液を貯液タンク１０３及び台座貯液タンク６１７に別個に供給する為の部材である。液体流路部６１８は、台座２００ｃに固定された補液タンク３００の給水ノズル３０２の出口に液体流入口６１８aが対向するように設置される。
液体流路部６１８は、液体流入口６１８a近傍から枝分かれする流路６１８ｂ及び６１８ｃを備え、自然落下によって補液タンク３００から排出された水または美容液は、この流路６１８ｂ及び６１８ｃを通って貯液タンク１０３や台座貯液タンク６１７に供給される（図１０中の矢印Ａ参照）。流路６１８ｂはポンプユニット２１３の一部に接続される。流路６１８ｃは、接続管６２０を介して開口６１７ｂと接続される。
接続管６２２は、蒸気供給管路として機能し、台座貯液タンク６１７内の蒸気をミスト発生装置本体１００ｂに供給する。接続管６２２の一端は、台座貯液タンク６１７の開口６１７ａに接続される。また、接続管６２２の他端は、ミスト発生装置本体１００ｂが台座６００ｃに固定された際に、ミスト発生装置本体１００ｂの開口部６１４を介して、ミスト発生装置本体１００ｂ内に挿入され、ミスト発生装置本体１００ｂの管路６１６の一端と接続される。
【００４７】
（ミスト発生装置４０の動作の説明）
以上説明したように構成される本発明のミスト発生装置４０では、ミスト発生装置本体１００ｂから霧状の水または美容液が放出されるとともに、ヒーター部６１０の発熱によって発生した蒸気が蒸気放出口６１２から放出される（図１０の破線の矢印参照）。
すなわち、台座２００ｃにミスト発生装置本体１００及び補液タンク３００が装着されるとセンサー部２０９などの各種センサーや信号用の電極２０３bから台座制御基板２１５aに各装置装着を示す信号が入力される。この結果、台座制御基板２１５aの電子回路はこれらの装着の有無を検知することができ、台座制御基板２１５aの電子回路は、台座貯液タンク６１７内の水または美容液が沸騰するような温度となるようにヒーター部６１０をＯＮ制御する。
そして、台座制御基板２１５は使用者により選択された動作モードに基づいてポンプユニット２１３の稼働や信号用の電極２０３bを介してタイマー１０９ａの計時指示などを行い、ミスト発生装置本体１００ｂの動作を制御する。
【００４８】
ここで「ミスト発生装置本体１００ｂの動作」とは、以下の（１）〜（３）である。
（１）霧状の水または美容液と、蒸気状の水または美容液とを同時に放出する。
（２）霧状の水または美容液を一定時間放出し、その後、蒸気状の水または美容液を一定時間放出する。
（３）霧状の水または美容液と蒸気状の水または美容液を間欠的に交互に放出する。
なお、この動作（２）、（３）においてヒーター部６１０の温度を上げ下げし、沸騰の有無を制御することで、蒸気状の水または美容液の放出の制御を行うことができる。また、例えば、蒸気の通り道に台座制御基板２１５aが制御可能な蓋体を設け、この蓋体の開閉によって蒸気の放出を制御するようにしてもよい。
【００４９】
以上のような制御が行われるミスト発生装置４０では、ポンプユニット２１３の稼働によって、ミスト発生装置本体１００ｂに供給され、霧状となって放出される水または美容液だけでなく、さらに粒子の細かい蒸気によって保湿処理を行うことができる。
また、この実施形態のミスト発生装置４０でも、ミスト発生装置本体１００ｃを台座２００ｃから取り外せば、ミスト発生装置本体１００をバックなどに入れて持ち運ぶことができる。したがって、ミスト発生装置１０によれば、携帯性と長時間かつ効果的な保湿処理とを両立させることが可能となる。
【００５０】
以上が図１０に示すミスト発生装置４０についての説明であるが、ミスト発生装置４０は種々の変更及び変形が可能である。例えば、台座２００ｃではなく、ミスト発生装置本体１００ｂが、ヒーター部６１０や台座貯液タンク６１７を備えるようにしてもよい。この場合、制御用電子回路基板１０９が、ヒーター部６１０の動作のＯＮ・ＯＦＦや温度の制御をおこなうことが望ましい。
また、この場合にはミスト発生装置本体１００ｂに設けられた台座貯液タンク６１７と貯液タンク１０３の一部を管状の部材で接続し、台座貯液タンク６１７に水または美容液を貯蓄して、ヒーター部６１０で加熱することが望ましい。ミスト発生装置本体１００ｂに設けられた台座貯液タンク６１７と蒸気放出口６１２とを接続することで、ミスト発生装置本体１００ｂ内で発生した蒸気を蒸気放出口６１２から放出させることができる。  ミスト発生装置本体１００がヒーター部６１０及び台座貯液タンク６１７を備えることで、外出先などでも蒸気による保湿処理を行える。
またさらに、ポンプユニット２１３と、ミスト発生装置本体１００ｂに設けられた台座貯液タンク６１７とを管状の部材で接続し、貯液タンク１０３とは別に、水または美容液が供給される液体供給路をミスト発生装置本体１００ｂに形成するようにしてもよい。
またさらに、ミスト発生装置本体１００ｂにおいて、管路６１６を温めるために、この管路６１６に密接するようにヒーター部６１０を配置してもよい。この場合には、台座２００ｃから供給された蒸気の温度低下を防止することができる。
【００５１】
（ミスト発生装置４０の変形例ミスト発生装置５０について）
以上説明したミスト発生装置４０はさらに種々の変形、改良が可能である。例えば、蒸気放出口６１２及び管路６１６をミスト発生装置本体１００bではなく、台座２００ｃに設けるようにしてもよい。
このような構成を備えるミスト発生装置５０を図１１に示して説明する。以下の説明では、第１〜４実施形態と同一部分については、同一符号を付して重複する説明は省略する。
図１１に示すように第４実施形態にかかるミスト発生装置５０は、ミスト発生装置本体１００、台座２００ｄ、補液タンク３００から主として構成される。
台座２００ｄは、ミスト発生装置本体接続部２０１、ポンプユニット２１３、電源端子２０５、補液タンク接続部２０７、センサ部２０９、第２のスイッチ２１１、台座制御基板２１５a、ヒーター部６１０、台座貯液タンク６１７、液体流路部６１８、接続管６２０を備える。
さらに台座２００ｄは、蒸気放出口６１２a及び管路６２２aを備える。
【００５２】
蒸気放出口６１２aは、ミスト発生装置本体１００ｂ（図１０参照）の蒸気放出口６１２と同様の形状、機能を有する孔であり、台座２００ｄの第２のスイッチ２１１の一部が露出する面に設けられる。
管路６２２aは、一端を蒸気放出口６１２aに接続され、他端を開口６１７aに接続される。管路６２２aは、台座貯液タンク６１７で発生した蒸気が、蒸気放出口６１２aからスムーズに排出されるように筒状に形成されている。すなわち、管路６１４は、開口６１７aを基部として、蒸気放出口６１２aに向かって所定の角度（ここでは略直角）を持ってカーブする部位と、このカーブする部位と蒸気放出口６１２aを接続する部位を有している。
以上のように構成された台座２００ｄでは、が蒸気放出口６１２aと台座貯液タンク６１７との距離が短くなり、台座貯液タンク６１７で発生した蒸気の温度の低下を防止することができ、より効率よく蒸気を放出させることができる。
【００５３】
［第５実施形態］
次に図１２を用いて本発明の第５実施形態にかかるミスト発生装置６０について説明する。以下の説明では、第１〜第４実施形態と構成・機能において対応する部分については、重複する説明を省略する。
図１２に示すように第５実施形態にかかるミスト発生装置６０は、ミスト発生装置本体１００（以下、子機１００eと称す）及び第１〜第４実施形態のミスト発生装置本体１００としての機能も有する親機２００eとから構成される。
親機２００eは、平面形状が略楕円形の台座２３０eと、この台座２３０e上に起立して支持される略楕円形状のヘッド２１０eを備える。
【００５４】
台座２３０eは、頂面が前面側が低くなるよう傾斜する傾斜面とされた高さの低い円筒状の筐体から構成されている。台座２３０eの頂面の正面側には、図１，図２に示した第１実施形態の第２のスイッチ２１１と対応する構成・機能を備えた、液体噴霧の動作のオン・オフや噴霧時間の設定を使用者が操作するためのスイッチ２３３ｅが配設されている。
台座２３０eの頂面の略中央部には、支持部材２３１eを介してヘッド２１０eが固着されている。
台座２３０eの支持部材２３１eの後ろ側の空洞部には補液タンク２４０eが収納されている。この空洞部の上部の筐体には、補液タンク２４０eへの液体の供給や補液タンク２４０eの着脱のための開閉自在の蓋体２３２eが設けられている。
補液タンク２４０eは、図１，図２の補液タンク３００や図６のカートリッジ式の貯液タンク５００と同様の着脱可能な容器である。なお、補液タンク２４０eは、台座２３０e内に設けられた水密性の高い空間であってもよい。
さらに台座２３０eは、図１０の液体流路部６１８及び接続管６２０と構成・機能において対応し、子機１００eなどに液体を供給するための液体流路部６１８eを備える。この他にも台座２３０eは、ポンプユニット２１３、図２の台座制御基板２１５などの電子回路と構成・機能において対応する電子回路が形成された台座制御基板２５６ｅ、外部から電源を受電するための電源コード２１４、特別に図示はしない各種センサ、電源端子２０５などを備える。
【００５５】
ヘッド２１０eは、台座２３０ｅよりも外形が小さい筐体である。ヘッド２１０eは、外形が略楕円形状で、正面が平面形状となるように形成されている。この実施の形態ではヘッド２１０eは、支持部材２３１eを介して台座２３０eに不動となるように固定されている。ただし、支持部材２３１eを軸部として台座２３０eとヘッド２１０eとが互いに回動するように構成してもよい。この場合、例えば一端側が頂面上に露出するようにかつ全体として台座２３０eの中心を貫通するように支持部材２３１eを配置し、ワッシャーとナットの組み合わせなどにより抜け止め処理を施した状態で台座２３０eに固定する。そして、この支持部材２３１eの露出する一端にボールベアリングなどの転がり軸受を介してヘッド２１０eを装着することで台座２３０eとヘッド２１０eとが互いに回動するように構成とする。
他の例として、軸部が台座２３０eの中心を貫通するようにかつ台座２３０eの頂面上に露出するように台座２３０eに固着された電動モータなどで支持部材２３１eを構成する。そして、この軸部にヘッド２１０eを固着することで、台座２３０eとヘッド２１０eとが互いに回動するようにしてもよい。
【００５６】
ヘッド２１０eの正面の中央部には、子機１００eを着脱自在に嵌合可能な凹部２１１eが形成されている。凹部２１１eの内側下方には充電部２２０eが配置され、凹部２１１eの左右には液体が噴霧されるためのミスト放出口２１５ｅが設けられ、このミスト放出口２１５ｅに対応する位置にミスト発生器２５０eが内蔵される。
充電部２２０eは、図１，図２の電力供給用電極２０３aと構成・機能において対応する充電端子２２３e、図１，図２の信号用の電極２０３bと構成・機能において対応する信号入出力端子２２４e、図１，図２の弁押し上げ管２１３aと構成・機能において対応する弁押し上げ管２２５eとから主に構成される。
充電部２２０eと、ここでは図示は省略した子機１００ｅの電源及び信号端子１２１（図２参照）が嵌合することによって子機１００eはヘッド２１０eに安定的に固定される。
ミスト放出口２１５ｅは、液体を放出するための所定数（ここでは３個）の孔である。ミスト放出口２１５ｅは、ヘッド２１０ｅの表面に縦方向に一定の間隔を開けて連続的に設けられている。
ミスト発生器２５０eは、図２の貯液タンク１０３と構成・機能において対応する貯液タンク２５３ｅ、図２の美容液導出部１０５と構成・機能において対応する美容液導出部２５５ｅ、図１，図２の超音波振動子１０７と構成・機能において対応し、ミスト放出口２１５ｅに接続されて設けられる超音波振動子１０７ｅを備える。
貯液タンク２５３ｅは、台座２３０eに内蔵された液体流路部６１８e及びポンプユニット２１３を介して補液タンク２４０eと接続されており、ポンプユニット２１３の駆動によって補液タンク２４０e内の液体を供給され、貯液する。超音波振動子１０７ｅは、貯液タンク２５３ｅに貯液された液体をミスト放出口２１５ｅから噴霧する。
【００５７】
（台座制御基板２５６ｅによる液体の噴霧の制御）
ミスト発生装置６０では、台座制御基板２５６ｅの制御により凹部２１１eに嵌合した子機１００ｅ及びまたはミスト発生器２５０eから液体が噴霧される。
台座制御基板２５６ｅは、スイッチ２３３ｅの押下などを検知する。台座制御基板２５６ｅは、台座２３０ｅに内蔵された種々のセンサ（図示せず）からの信号により、子機１００ｅが凹部２１１eに嵌合されているか否かを判定したり、貯液タンク２５３ｅ内の液体の残量を判定したりすることができる。
このような種々の検知や判定により、台座制御基板２５６ｅは、ポンプユニット２１３、超音波振動子１０７、超音波振動子１０７ｅなどの駆動を制御する。
例えば、台座制御基板２５６ｅは以下（１）〜（５）のような制御を行う。
（１）子機１００eの凹部２１１eへの装着時には、超音波振動子１０７のみを駆動させる。
（２）子機１００eの凹部２１１eへの装着時であっても超音波振動子１０７は駆動させずに、台座２３０eの超音波振動子１０７ｅのみを駆動させる。
（３）超音波振動子１０７及び超音波振動子１０７ｅの両方を駆動させる。
（４）子機１００eの凹部２１１eへの非装着時には超音波振動子１０７ｅのみを駆動させる。
（５）他の実施形態にて説明した、例えば台座制御基板２１5などと対応する制御。
【００５８】
以上のように構成されたミスト発生装置６０は、寝室などに設置され、夜間に使用者の肌に向かって液体を噴霧し肌面を保湿するために使用することができる。そして、使用者が外出するときには、凹部から子機１００eを取り外すことによって、いつでもどこでも美容処理を行なうことができる。
なお、この実施形態では、ミスト発生器２５０eをヘッド２１０ｅに内蔵したが、台座２３０ｅに内蔵してもよい。この場合には、ミスト発生器２５０eの美容液導出部２５５ｅとミスト放出口２１５ｅとを図１０に示した管路６１６のような管路で接続し、台座２３０ｅ内で駆動する超音波振動子１０７ｅにより霧化した液体を管路６１６を介してミスト放出口２１５ｅから噴霧する。ミスト発生器２５０eを台座２３０ｅに内蔵することにより、超音波振動子１０７ｅなどの部材を少なくする（例えば、超音波振動子１０７ｅが一個だけの構成とする。）ことができ、低コスト化や歩留まりの向上、高耐久化を図ることができる。
【符号の説明】
【００５９】
１０，２０，３０，４０，５０…ミスト発生装置、１００，１００a，１００ｂ，１００ｃ，１００ｄ…ミスト発生装置本体、１０１，１０１ａ，６１１…外部ケース、１０１ｂ…補液タンク接続部、１０１ｃ，１１０３ｂ…孔部、１０１ｄ…蓋、１０３，５００，１１０３…貯液タンク、１０３ａ…貯液タンク本体、１０３ｂ…給液管、１０５…美容液導出部、１０５a…美容液放出口、１０５ｂ…保持部、１０７…超音波振動子、１０９…制御用電子回路基板、１０９a…タイマー、１１１…電源、１１３…スイッチ、１１５…ミスト放出口、１１７…給液口、１１９，４０１……弁体、１２１…電源及び信号端子、２００，２００ａ，２００ｂ，２００ｃ，２００ｄ，７００a…台座、２０１…ミスト発生装置本体接続部、２０３…給電端子部、２０３a…電力供給用電極、２０３b…信号用の電極、２０５…電源端子、２０７…補液タンク接続部、２０９…センサ部、第２の２１１…スイッチ、２１３…ポンプユニット、２１４…電源コード、２１３a…弁押し上げ管、２１５，２１５a…台座制御基板、３００，３００ａ…補液タンク、３０１…本体部、３０２，３０２ａ…給水ノズル、４００…弁部、４０３，５０１…蓋部、４０３ａ…孔、４０３ｂ…孔部、４０５…押し上げ棒接触部、４０７…柱部、４０９…バネ部、６００…補液タンク、６０１…補液タンク本体、６０２，６１７…台座貯液タンク，６０２ａ…給液口、６１０…ヒーター部、６１２，６１２a…蒸気放出口、６１４…開口部、６１６…管路、６１７ｂ，６１７ｂ…開口、６１８…液体流路部、６１８a…液体流入口，６１８ｂ，６１８ｃ…流路、６２０，６２２…接続管、６２２a…管路、７００…補液タンク、７０１，２２０３…軸部、７０２…収容空間、１１０３ａ…貯液タンク本体、１１０３ｃ…弁押し上げ棒、１１０４…孔、２２０１…台座本体、２２０１ａ…柱部、２２０２…ミスト発生装置本体収容部、２２０２ａ…壁部、１００e…子機、２００e…親機、２１０e…ヘッド、２３３e…スイッチ、２１１e…凹部、２２０e…充電部、２２３e…充電端子、２２４e…信号入出力端子、２２５e…弁押し上げ管、２３０e…台座、２３１e…支持部材、２３２e…蓋体、２４０e…補液タンク、２５０e…ミスト発生器、６１８e…液体流路部、６０…ミスト発生装置、１０７ｅ…超音波振動子、２１５ｅ…ミスト放出口、２５３ｅ…貯液タンク、２５５ｅ…美容液導出部、２５６ｅ…台座制御基板。
【図１】
0005878753.tif 000002
【図２】
0005878753.tif 000003
【図３】
0005878753.tif 000004
【図４】
0005878753.tif 000005
【図５Ａ】
0005878753.tif 000006
【図５Ｂ】
0005878753.tif 000007
【図６】
0005878753.tif 000008
【図７】
0005878753.tif 000009
【図８Ａ】
0005878753.tif 000010
【図８Ｂ】
0005878753.tif 000011
【図９】
0005878753.tif 000012
【図１０】
0005878753.tif 000013
【図１１】
0005878753.tif 000014
【図１２】
0005878753.tif 000015